(57)【要約】【課題】成型コストを抑えることができるフック取付部構造を提供する。【解決手段】ケーシング３を構成する裏ケース３１を容器状に形成し、裏ケース３１を内側面４１を形成する第一金型４２と外側面４３を形成する第二金型４４とで成型可能に構成する。裏ケース３１の外側面４３に内側に後退した凹部１０１を設け、凹部１０１を構成する奥壁面１１１と第二段部１０３との角部に、フック本体１１の各延出部１５，１６を挿入する挿入穴１２１，１２２を形成する。奥壁面１１１及び第二段部１０３を形成する第一金型４２の部位と第二金型４４の部位とは、各挿入穴１２１，１２２を形成する部分において、部分的に面接するように構成し、奥壁面１１１及び第二段部１０３に、奥壁面１１１及び第二段部１０３が未形成の部分を形成することで、各挿入穴１２１，１２２を形成する。【選択図】図３
2014231381.tif 000002
【特許請求の範囲】
【請求項１】
フック本体より延出した延出部をケーシングに挿入して当該フック本体を前記ケーシングに取り付けるフック取付部構造において、
前記ケーシングを構成するケーシング構成部を容器状に形成し、当該ケーシング構成部を内側面を形成する第一金型と外側面を形成する第二金型とで形成可能に構成するとともに、
前記ケーシング構成部の外側面に内側に後退した凹部を設け、該凹部を構成する壁面に、前記第一金型と前記第二金型とが面接する面接部分を設定して前記延出部が挿入される挿入穴を形成したことを特徴とするフック取付構造。
【請求項２】
前記ケーシング構成部の前記内側面に、前記挿入穴に挿入された前記延出部の側面に沿って延在するリブを設けたことを特徴とする請求項１記載のフック取付部構造。
【発明の詳細な説明】
【技術分野】
【０００１】
本発明は、フックが取り付けられるケーシングのフック取付部構造に関する。
【背景技術】
【０００２】
従来、図６に示すように、ケーシング８０１にフック８０２が取り付けられた消臭芳香剤容器８０３が知られている（例えば、特許文献１参照。）。
【０００３】
この消臭芳香剤容器８０３の前記フック８０２は、基端部が二股に形成されており、第一延出部８１１と第二延出部８１２とが形成されている。両延出部８１１，８１２の中間部には、矩形状の切欠部８１３，８１３が形成されており、各延出部８１１，８１２は、この切欠部８１３，８１３が設けられた部位の幅寸法が狭くなるように構成されている。
【０００４】
前記各延出部８１１，８１２には、前記切欠部８１３，８１３より先端側に三角形状の係止部８２１，８２１が設けられており、各係止部８２１，８２１は、側方へ向けて突出している。
【０００５】
一方、前記ケーシング８０１には、前記フック８０２を取り付けるための取付部８３１が設けられており、該取付部８３１は、対向して配置された第一挟持部８３２と第二挟持部８３３とによって構成されている。各挟持部８３２，８３３は、前記ケーシング８０１より起立した起立部８３４と、該起立部８３４の先端より対向する挟持部８３２，８３３側へ延出したフランジ部８３５とによって断面Ｌ字状に形成されており、前記フック８０２の各延出部８１１，８１２を前記両挟持部８３２，８３３間に挿入した際に、前記挟持部８３２，８３３の前記起立部８３４，８３４が前記フック８０２の前記切欠部８１３，８１３に挿入されるように構成されている。
【先行技術文献】
【特許文献】
【０００６】
【特許文献１】意匠登録第１３３６４０７号公報
【発明の概要】
【発明が解決しようとする課題】
【０００７】
しかしながら、このような従来のフック取付部構造にあっては、ケーシング８０１に前記取付部８３１を形成する為にスライド型を用いる必要があった。
【０００８】
このため、成型コストがかかるという問題があった。
【０００９】
本発明は、このような従来の課題に鑑みてなされたものであり、成型コストを抑えることができるフック取付部構造を提供することを目的とするものである。
【課題を解決するための手段】
【００１０】
前記課題を解決するために本発明の請求項１のフック取付構造にあっては、フック本体より延出した延出部をケーシングに挿入して当該フック本体を前記ケーシングに取り付けるフック取付部構造において、前記ケーシングを構成するケーシング構成部を容器状に形成し、当該ケーシング構成部を内側面を形成する第一金型と外側面を形成する第二金型とで形成可能に構成するとともに、前記ケーシング構成部の外側面に内側に後退した凹部を設け、該凹部を構成する壁面に、前記第一金型と前記第二金型とが面接する面接部分を設定して前記延出部が挿入される挿入穴を形成した。
【００１１】
すなわち、ケーシングを構成するケーシング構成部の外側面には、内側に後退する凹部が設けられており、該凹部の壁面には、フック本体の延出部が挿入される挿入穴が形成されている。このため、前記フック本体の前記延出部を前記凹部の底面に沿って前記挿入穴へ挿入することで、当該フック本体は、前記延出部が前記挿入穴に挿入された状態でケーシングに取り付けられる。
【００１２】
ここで、前記ケーシングを構成するケーシング構成部は、容器状に形成されており、当該ケーシング構成部は、その内側面を形成する第一金型と、外側面を形成する第二金型とによって形成することができる。
【００１３】
このとき、前記ケーシング構成部の外側面には、内側に後退した凹部が形成されており、該凹部を構成する壁面には、前記第一金型と前記第二金型とが面接する面接部分が設定され、前記挿入穴が形成される。
【００１４】
このため、前記フック本体を取り付けるための前記挿入穴は、前記第一金型と第二金型とによって形成される。
【００１５】
また、請求項２のフック取付構造においては、前記ケーシング構成部の前記内側面に、前記挿入穴に挿入された前記延出部の側面に沿って延在するリブを設けた。
【００１６】
すなわち、前記ケーシング構成部の前記内側面には、前記挿入穴に挿入された前記延出部の側面に沿って延在するリブが設けられている。このため、前記挿入穴に挿入された前記延出部は、その側面が前記リブで支持され、不用意な横ずれが防止される。
【００１７】
ここで、前記リブは、前記ケーシング構成部の前記内側面に形成されている。このため、当該リブは、前記ケーシング構成部の前記内側面を形成する前記第一金型によって形成される。
【発明の効果】
【００１８】
以上説明したように本発明の請求項１のフック取付構造にあっては、フック本体を取り付けるための挿入穴を、ケーシング構成部を形成する第一金型及び第二金型によって形成することができる。
【００１９】
したがって、ケーシングを形成する金型の他に、フック取付部を形成する為にスライド型を用いなければならなかった従来と比較して、成型コストを抑えることができる。
【００２０】
これにより、製品の低コスト化を図ることができる。
【００２１】
また、請求項２のフック取付構造においては、挿入穴に挿入された延出部の側面を支持してフック本体の横ずれを防止するリブを、ケーシング構成部の内側面を形成する第一金型によって形成することができる。
【００２２】
このため、成型コストの増大を招くことなく、取り付けられたフック本体の横ずれを防止することができる。
【図面の簡単な説明】
【００２３】
【図１】本発明の一実施の形態を示す説明図である。
【図２】同実施の形態のフックを示す説明図である。
【図３】同実施の形態のケーシングを示す説明図である。
【図４】同実施の形態のケーシングを内側から見た状態を示す説明図である。
【図５】同実施の形態のケーシングにフックを取り付けた状態を示す説明図である。
【図６】従来のフック取付構造を示す説明図である。
【発明を実施するための形態】
【００２４】
以下、本発明の一実施の形態を図に従って説明する。
【００２５】
図１は、本実施の形態にかかるフック取付部構造を備えた消臭芳香剤容器１を示す図であり、該消臭芳香剤容器１は、消臭芳香剤カートリッジ２を収容するケーシング３と、該ケーシング３に取り付けられるフック４とによって構成されている。
【００２６】
このフック４のフック本体１１は、図２に示すように、湾曲形状に形成された板状部材によって構成されており、該フック本体１１の先端には、湾曲部１２が形成されている。前記フック本体１１の基端部には、直角に折曲された折曲部１３を介して、二股の二股部１４が形成されており、該二股部は、対を成す第一延出部１５と第二延出部１６とによって構成されている。
【００２７】
前記各延出部１５，１６の先端部には、三角形状の爪部２１，２１が一体形成されており、各延出部１５，１６には、側方に突出した係止部２２，２２が形成されている。
【００２８】
前記ケーシング３は、図３にも示したように、当該ケーシング３の裏面側を構成するケーシング構成部としての裏ケース３１と、表面側を構成する前ケース３２とによって構成されており、前記裏ケース３１の下縁と前記前ケース３２の下縁とは、図１、図３及び図４に示すように、ヒンジ部３３で連設されている。
【００２９】
該ヒンジ部３３は、折曲自在に形成されており、当該ヒンジ部３３を折曲することで、前記両ケース３１，３２を、開口面側で合わせられるように構成されている（図１参照）。これにより、前記両ケース３１，３２によって前記ケーシング３を形成できるように構成されており、当該ケーシング３内に、前記消臭芳香剤カートリッジ２を収容できるように構成されている。
【００３０】
前記両ケース３１，３２は、図３に示したように開いた状態において、同一方向へ向けて開口した容器状に形成されており、開口部へ向かうに従って内径寸法が広くなるように構成されている。これにより、両ケース３１，３２は、図３中右方に示すように、その内側面４１を形成する第一金型（雄型）４２と、外側面４３を形成する第二金型（雌型）４４とによって成型されている。
【００３１】
前記前ケース３２は、角部が丸められた長方形状に形成されており、湾曲面で構成された前面構成部５１と、該前面構成部５１の周縁より延出した前周面構成部５２とによって構成されている。前記前面構成部５１の外側面４３には、波形状の意匠５３と、円形穴５４，・・・とが形成されており、前記消臭芳香剤カートリッジ２より揮散した薬剤を前記円形穴５４，・・・から放出できるように構成されている。
【００３２】
この前ケース３２における前記前面構成部５１の内側面４１には、図４に示したように、一対のリブ６１，６１が立設されており、ケーシング３内部に収容した前記消臭芳香剤カートリッジ２のがたつきを防止できるように構成されている。
【００３３】
そして、前記前面構成部５１の上縁には、図１及び図３に示したように、裏面側へ向けて延出する係合部７１が中央部に設けられており、該係合部７１の先端には、横方向に延在する凸条７２が一体形成されている。
【００３４】
前記裏ケース３１も、図３に示したように、角部が丸められた長方形状に形成されており、平坦に形成された裏面構成部８１と、該裏面構成部８１の周縁より延出した裏周面構成部８２とによって構成されている。該裏周面構成部８２は、前記裏面構成部８１より縁部に向かうに従って側方へ広がるように形成されており、当該裏ケース３１の両短辺側には、前記消臭芳香剤カートリッジ２より揮散した薬剤を揮散する揮散孔８３，８３が開設されている。
【００３５】
ここで、前記裏周面構成部８２を形成する前記第一金型４２の部位と前記第二金型４４の部位とは、当該揮散孔８３，８３を形成する部分において、部分的に面接するように構成されており、前記裏周面構成部８２に、当該裏周面構成部８２が未形成の部分を形成することで、前記揮散孔８３，８３が形成されるように構成されている。
【００３６】
前記裏ケース３１には、前記裏周面構成部８２の上縁中央に内側に後退した切欠部９１が形成されており、図１に示したように、当該裏ケース３１に前記前ケース３２を合わせた状態で、該前ケース３２の前記係合部７１が前記切欠部９１内に挿入されうように構成されている。
【００３７】
この切欠部９１が位置する前記裏面構成部８１の外側面４３には、図３に示したように、内側に後退した凹部１０１が形成されている。該凹部１０１は、階段状に形成されており、前記切欠部９１側に位置する第一段部１０２が、裏面構成部８１の中心側に設けられた第二段部１０３より低くなるように設定されている。
【００３８】
これにより、図１に示したように、前記前ケース３２の前記係合部７１を前記切欠部９１内に挿入した状態で、前記係合部７１に設けられた凸条７２が前記第一段部１０２の角部と係合するように構成されており、前記前ケース３２の不用意な口開きを防止できるように構成されている。
【００３９】
また、図３に示したように、前記第二段部１０３の奥側に位置する奥壁面１１１と当該第第二段部１０３との角部には、第一挿入穴１２１と第二挿入穴１２２とが開設されており、両挿入穴１２１，１２２は、前記凹部１０１を形成する各側壁面１２３，１２３側に形成されている。
【００４０】
ここで、前記奥壁面１１１及び前記第二段部１０３を形成する前記第一金型４２の部位と前記第二金型４４の部位とは、各挿入穴１２１，１２２を形成する部分において、部分的に面接するように構成されており、前記奥壁面１１１及び前記第二段部１０３に、当該奥壁面１１１及び前記第二段部１０３が未形成の部分を形成することで、前記各挿入穴１２１，１２２が形成されるように構成されている。
【００４１】
各挿入穴１２１，１２２の幅寸法は、前記フック４の前記各延出部１５，１６において前記係止部２２，２２が設けられた部位での幅寸法と同一又は大きめに設定されており、前記両挿入穴１２１，１２２の離間距離は、前記フック４の両延出部１５，１６の離間距離とほぼ同寸法に設定されている。
【００４２】
これにより、図１及び図５に示すように、前記フック４の第一延出部１５を前記第一挿入穴１２１に挿入するとともに、前記第二延出部１６を前記第二挿入穴１２２に挿入できるように構成されている。
【００４３】
前記フック４の各延出部１５，１６を前記各挿入穴１２１，１２２に挿入した状態において、当該裏ケース３１における前記裏面構成部８１の内側面４１には、図５に示したように、前記各挿入穴１２１，１２２に挿入された前記各延出部１５，１６の側面に沿って延在する第一リブ１３１及び第二リブ１３２が前記凹部１０１の前記側壁面１２３，１２３の延長上に形成されている。
【００４４】
これらのリブ１３１，１３２は、前記凹部１０１の前記奥壁面１１１から各リブ１３１，１３２の先端までの距離が、前記フック４の各延出部１５，１６基端から前記係止部２２，２２までの寸法とほぼ同寸法に設定されており、前記各延出部１５，１６を前記各挿入穴１２１，１２２に挿入した状態において、各延出部１５，１６の各係止部２２，２２が前記各リブ１３１，１３２の先端に係止されるように構成されている。
【００４５】
そして、前記裏面構成部８１の内側面４１には、図４に示したように、円弧状リブ１４１，・・・が四隅に形成されており、各円弧状リブ１４１，・・・によって前記消臭芳香剤カートリッジ２を位置決めできるように構成されている。
【００４６】
以上の構成にかかる本実施において、ケーシング３を構成する裏ケース３１の外側面４３には、内側に後退する凹部１０１が設けられており、該凹部１０１の奥壁面１１１と第二段部１０３との角部には、フック本体１１より延出した各延出部１５，１６が挿入される各挿入穴１２１，１２２が形成されている。
【００４７】
このため、前記各延出部１５，１６を前記凹部１０１の底面、具体的には、第二段部１０３に沿って対応する挿入穴１２１，１２２へ挿入することで、当該フック本体１１は、前記延出部１５，１６が前記各挿入穴１２１，１２２に挿入された状態でケーシング３に取り付けられる。
【００４８】
ここで、前記ケーシング３を構成するケーシング構成部としての前記裏ケース３１は、容器状に形成されており、当該裏ケース３１は前ケース３２と共に、その内側面４１を形成する第一金型４２と、外側面４３を形成する第二金型４４とによって形成することができる。
【００４９】
このとき、前記裏ケース３１の前記外側面４３には、内側に後退した凹部１０１が形成されており、該凹部１０１を構成する奥壁面１１１と第二段部１０３との角部には、前記第一金型４２と前記第二金型４４とが面接する面接部分が設定され前記各挿入穴１２１，１２２が形成される。
【００５０】
このように、前記フック本体１１を取り付けるための各挿入穴１２１，１２２を、前記裏ケース３１を形成する前記第一金型４２及び第二金型４４によって形成することができる。
【００５１】
したがって、ケーシング３を形成する金型の他に、フック取付部を形成する為にスライド型を用いなければならなかった従来と比較して、成型コストを抑えることができる。
【００５２】
これにより、製品の低コスト化を図ることができる。
【００５３】
また、前記裏ケース３１の前記内側面４１には、前記各挿入穴１２１，１２２に挿入された前記各延出部１５，１６の側面に沿って延在する第一及び第二リブ１３１，１３２が設けられている。このため、前記各挿入穴１２１，１２２に挿入された前記各延出部１５，１６は、その側面が前記各リブ１３１，１３２で支持され、不用意な横ずれが防止される。
【００５４】
ここで、前記各リブ１３１，１３２は、前記裏ケース３１の前記内側面４１に形成されている。このため、各リブ１３１，１３２を、前記裏ケース３１の前記内側面４１を形成する前記第一金型４２によって形成することができる。
【００５５】
このため、成型コストの増大を招くことなく、取り付けられたフック本体１１の横ずれを防止することができる。
【符号の説明】
【００５６】
３    ケーシング
４    フック
１１    フック本体
１５    第一延出部
１６    第に延出部
３１    裏ケース
４１    内側面
４２    第一金型
４３    外側面
４４    第二金型
１０１    凹部
１１１    奥壁面
１２１    第一挿入穴
１２２    第二挿入穴
１３１    第一リブ
１３２    第二リブ
【図１】
2014231381.tif 000003
【図２】
2014231381.tif 000004
【図３】
2014231381.tif 000005
【図４】
2014231381.tif 000006
【図５】
2014231381.tif 000007
【図６】
2014231381.tif 000008